(57)【要約】【課題】  通信の設定変更に伴い、ユーザが操作しなければならない煩雑さを解消する画像処理装置等を提供する。【解決手段】  画像データを記憶するＲＡＭ１０３と、前記画像データより画像を表示する表示部１０５と、他の装置と通信し、画像データを送受信する通信手段１０６と、他の装置との通信設定を行う通信設定手段１０７と、他の装置より受信した画像データの所在を通知する通知手段１０８を有し、前記表示部１０５は、前記通知手段１０８が通知した画像データの所在を前記通信設定手段１０７の通信設定に基づいて表示する。【選択図】  図１
2006345239.tif 000002
【特許請求の範囲】
【請求項１】
画像データを記憶する記憶手段と、
前記画像データより画像を表示する表示手段と、
他の装置と通信し、画像データを送受信する通信手段と、
他の装置との通信設定を行う通信設定手段と、
他の装置より受信した画像データの所在を通知する通知手段を有し、
前記表示手段は、前記通知手段が通知した画像データの所在を前記通信設定手段の通信設定に基づいて表示することを特徴とする画像処理装置。
【請求項２】
前記通知手段は、前記通信設定手段が変更した後の通信設定に基づく画像データの所在を通知することを特徴とする請求項１に記載の画像処理装置。
【請求項３】
前記通知手段は、前記通信設定手段が通信設定を変更した時に、当該変更後の通信設定に基づく画像データの所在を通知することを特徴とする請求項１に記載の画像処理装置。
【請求項４】
前記通知手段は、前記通信設定手段による変更前後の通信設定に基づく画像データの所在の双方を通知することを特徴とする請求項１に記載の画像処理装置。
【請求項５】
前記表示手段は、前記通信設定手段による通信設定の変更があった旨を表示することを特徴とする請求項１から４の何れかに記載の画像処理装置。
【請求項６】
前記通信設定手段は、通信設定にHTTP(Hypertext Transfer Protocol)又はHTTPS(Hypertext Transfer Protocol Security)を使用することを特徴とする請求項１から５の何れかに記載の画像処理装置。
【請求項７】
コンピュータに、
画像データを記憶する記憶手段と、
前記画像データより画像を表示する表示手段と、
他の装置と通信し、画像データを送受信する通信手段と、
他の装置との通信設定を行う通信設定手段と、
他の装置より受信した画像データの所在を通知する通知手段として機能させ、
前記表示手段に、前記通知手段が通知した画像データの所在を前記通信設定手段の通信設定に基づいて表示するように機能させることを特徴とする画像処理装置のプログラム。
【請求項８】
請求項７に記載のプログラムを記録した記録媒体。
【発明の詳細な説明】
【技術分野】
【０００１】
本発明は、他の装置との通信を行う機能を有する画像処理装置に関するものである。
【背景技術】
【０００２】
複合機などのような他の装置と通信し、画像データなどを送受信する画像処理装置では、画像データを受信した旨を通知するためのメール（以下、「通知メール」という。）が表示部などに表示される。この通知メールには受信した画像データにアクセスするためのＵＲＬ(Uniform Resource Locator)が記述されている。操作部よりそのＵＲＬを指定すると、対応する画像を表示部に表示し、ユーザは当該画像を見ることができる。
【０００３】
しかし、通信のセキュリティの設定を変更すると、変更前に通知メールに記述されていたＵＲＬを指定しても、通信プロトコルが変更されているため、対応する画像を表示することができない。結果的に、ユーザ自身がその画像を見るために、セキュリティの設定を変更し直す必要があり、煩雑である。
【０００４】
特許文献１の通信装置には、変更された通信を維持するための動作を効率よく行う技術が開示されている。しかし、この発明は外部装置に対してその変更を通知するものであり、通信装置を利用するユーザがその変更を認識する方法について開示されているわけではないので、上記事情を解消しうるものとはいえない。
【特許文献１】特開２００４−２０８２９５号公報
【発明の開示】
【発明が解決しようとする課題】
【０００５】
そこで本発明では、通信の設定変更に伴い、ユーザが操作しなければならない煩雑さを解消する画像処理装置等を提供することを目的とする。
【課題を解決するための手段】
【０００６】
上記事情を解決する本発明の態様は、画像データを記憶する記憶手段と、前記画像データより画像を表示する表示手段と、他の装置と通信し、画像データを送受信する通信手段と、他の装置との通信設定を行う通信設定手段と、他の装置より受信した画像データの所在を通知する通知手段を有し、前記表示手段は、前記通知手段が通知した画像データの所在を前記通信設定手段の通信設定に基づいて表示することを特徴とする画像処理装置に関するものである。
【０００７】
ここで、前記通知手段は、前記通信設定手段が変更した後の通信設定に基づく画像データの所在を通知することを特徴とする。また、前記通知手段は、前記通信設定手段が通信設定を変更した時に、当該変更後の通信設定に基づく画像データの所在を通知することを特徴とする。また、前記通知手段は、前記通信設定手段による変更前後の通信設定に基づく画像データの所在の双方を通知することを特徴とする。
【０００８】
上記態様において、前記表示手段は、前記通信設定手段による通信設定の変更があった旨を表示することを特徴とする。
【０００９】
そして、前記通信設定手段は、通信設定にHTTP(Hypertext Transfer Protocol)又はHTTPS(Hypertext Transfer Protocol Security)を使用すると良い。
【００１０】
また、上記事情を解決する本発明の他の態様は、コンピュータに、画像データを記憶する記憶手段と、前記画像データより画像を表示する表示手段と、他の装置と通信し、画像データを送受信する通信手段と、他の装置との通信設定を行う通信設定手段と、他の装置より受信した画像データの所在を通知する通知手段として機能させ、前記表示手段に、前記通知手段が通知した画像データの所在を前記通信設定手段の通信設定に基づいて表示するように機能させることを特徴とする画像処理装置のプログラムに関するものである。
【００１１】
そして、さらに本発明の他の態様は、上記プログラムを記録した記録媒体に関するものである。
【発明の効果】
【００１２】
通信の設定変更があったとしても、その変更に伴い、受信した画像データの通知を行うので、ユーザが操作しなければならない煩雑さを解消することができる。
【発明を実施するための最良の形態】
【００１３】
以下、本発明の画像処理装置としての複合機を実施するための最良の形態を説明する。説明する際には、本明細書と同時に提出する図面を適宜参照することにする。
【００１４】
図１は、本形態の複合機でなされる処理を実行する部品、手段等を図示したブロック図である。この複合機は、ＣＰＵ１０１、ＲＯＭ１０２、ＲＡＭ１０３、操作部１０４、表示部１０５、通信手段１０６、通信設定手段１０７、通知手段１０８を有して構成されている。各部品、手段等はバスで接続されており、各々所定のデータを送受信することができるような回路を有している。
【００１５】
ＣＰＵ１０１は複合機でなされる処理を統括的に制御する、いわば、中央処理制御を行う素子である。他の部品、手段に対し画像データの編集、送受信といった複合機が有する周知・慣用の処理を実行させる。ＲＯＭ１０２はＣＰＵ１０１に中央処理制御を実行させるためのプログラムを格納した記録媒体である。ＣＰＵ１０１はＲＯＭ１０２からプログラムを読み出し、中央処理制御を行う。
【００１６】
ＲＡＭ１０３は一時的にデータを記憶する素子である。画像データ、音声データ、操作部１０４より入力・登録されたデータ等を記録する。操作部１０４はユーザの入力を受け付ける部品であり、数字、アルファベット、平仮名などを入力するボタンなどを有している。表示部１０５はユーザに複合機でなされる処理結果を表示する部品である。操作部１０４からの入力内容、他の装置より受信した画像データに基づく画像などを表示することができる。
【００１７】
通信手段１０６は他の機器と画像データ、音声データ、テキストデータといった所定のデータを送受信するための通信接続を行う機能を有する。通信設定手段１０７は他の装置との通信を行うときのセキュリティ、プロトコルなどの設定を行う機能を有する。通信手段１０６により送受信されるデータに一定の制限をかけるような設定をし、自身の複合機の情報管理を強化することができる。使用するプロトコルとしてはHTTP(Hypertext Transfer Protocol)又はHTTPS(Hypertext Transfer Protocol Security)を用いれば良い。また、セキュリティの設定にはHTTP８０ポート又はHTTPS４４３ポートを用いれば良い。
【００１８】
通知手段１０８は他の装置より受信した画像データの所在を通知する機能を有する。具体的には、画像データのＵＲＬを通知メールに記述し、表示部１０５にそのＵＲＬを表示することにより通知する。
【００１９】
他の装置より受信した画像データはＲＡＭ１０３に記憶される。その際、当該画像データに関する通知メールが作成される。ユーザは表示部１０５に表示されたＵＲＬを選択してクリックすると、対応する画像データをＲＡＭ１０３より読み出す。これにより、ユーザは表示部１０５において当該画像を見ることができる。
【００２０】
通信設定手段１０７によりセキュリティのレベルが通常のものを設定してある場合、通知手段１０８は他の装置より受信した画像データのＵＲＬを「http://〜」として通知メールに記述する。しかし、ユーザがセキュリティのレベルを高くするように設定されていた場合、通知メールに「http://〜」のＵＲＬを記述し、そのＵＲＬをクリックしても対応する画像が表示されない。そのため、その画像を見るためには自分でＵＲＬを「https://〜」と変更する必要があり、煩雑さを覚えることになる。
【００２１】
そこで、そのような事態を解消するために、図２のフローチャートに示すような通知メールの表示方法を実行する。本形態の複合機は以下の手順を踏まえて通知メールを作成していく。
【００２２】
すなわち、画像データをＲＡＭ１０３に記憶した場合、通信設定手段１０７による通信設定がHTTPを使用することを禁止した通信設定でなければ（Ｓ２０１でＮＯ）、つまり、セキュリティのレベルが通常であれば、通知メールに「http://〜」のＵＲＬを記述して（Ｓ２０２）、メール通知処理として通知メールを表示部１０５に表示する。通信設定手段１０７による通信設定がHTTPを使用することを禁止した通信設定であれば（Ｓ２０１でＹＥＳ）、つまり、セキュリティのレベルが通常でなければ、HTTPSの使用に関する通信設定の判定を行う（Ｓ２０３）。
【００２３】
通信設定手段１０７による通信設定がHTTPS使用することを禁止した通信設定でなければ（Ｓ２０３でＮＯ）、つまり、セキュリティのレベルが高い状態で通信を行うことができれば、通知メールに「https://〜」のＵＲＬを記述して（Ｓ２０４）、メール通知処理として表示部１０５に表示する。通信設定手段１０７による通信設定がHTTPSを使用することを禁止した通信設定であれば（Ｓ２０３でＹＥＳ）、つまり、セキュリティのレベルが高い状態で通信を行うことができなければ、メール通知停止処理として通知メールの表示を行わない。
【００２４】
このように通知メールには通信設定に応じたＵＲＬを記述することにより、ユーザ自身でＵＲＬを変更する必要が無くなり、煩雑さが解消される。
【００２５】
但し、通信設定手段１０７によりセキュリティのレベルが通常のものを設定してある状態で受信した画像データがＲＡＭ１０３に記憶されている場合、セキュリティのレベルを高くするように設定を変更することにより、その画像を見るためには通知メールにおいてユーザ自身でＵＲＬを「http://〜」から「https://〜」へと変更する必要があり、煩雑さを覚えることになる。
【００２６】
そこで、そのような事態を解消するために、図３のフローチャートに示すような通知メールの表示方法を実行する。本形態の複合機は以下の手順を踏まえて通知メールを作成していく。
【００２７】
すなわち、通信設定手段１０７により通信設定の変更があった場合には（Ｓ３０１でＹＥＳ）、つまり、セキュリティのレベルを高くした場合には、必要に応じて変更後の通信設定に基づく画像データのＵＲＬ（「https://〜」など）を記述したメールを再度通知すれば良い。これにより、ユーザは通信設定の変更があった後の通知メールのみ操作すればよく、ユーザ自身でＵＲＬを変更する必要が無くなり、煩雑さが解消される。なお、「必要に応じて」というのは、上記以外の通信設定に変更したときに変更前のＵＲＬを記載した通知メールから画像データにアクセスできるものであれば、再度、通知メールを作成する必要は無いという意味である。
【００２８】
上記通知メールの作成において、通知手段１０８は、通信設定手段１０７による変更前後の通信設定に基づく画像データのＵＲＬ、つまり、「http://〜」と「https://〜」の双方を記述するのも良い。これにより、ユーザが何れかを指定すれば必然的に対応する画像を表示部１０５に表示させることができる。
【００２９】
また、表示部１０５に通信設定の変更があった旨を表示しても良い。例えば、「セキュリティレベルが高く設定されました。」という文章を表示しても良いし、セキュリティレベルの変更を表す図形、記号等を表示しても良い。これにより、ユーザはその変更を認識して画像を見るための適切な措置を採ることができる。
【００３０】
なお、上述した形態は本発明の画像処理装置等を実施するための最良のものであるが、これに限定する趣旨ではない。従って、本発明の要旨を変更しない範囲において種々変形することが可能である。
【産業上の利用可能性】
【００３１】
本発明の画像処理装置を搭載したファクシミリ、コピー機、パソコン等の開発が望まれる。
【図面の簡単な説明】
【００３２】
【図１】本形態の複合機の構成ブロック図である。
【図２】通知メールを表示するときのフローチャートである。
【図３】セキュリティ設定を変更したときに、再度、通知メールを表示するときのフローチャートである。
【符号の説明】
【００３３】
１０１    ＣＰＵ
１０２    ＲＯＭ
１０３    ＲＡＭ
１０４    操作部
１０５    表示部
１０６    通信手段
１０７    通信設定手段
１０８    通知手段
【図１】
2006345239.tif 000003
【図２】
2006345239.tif 000004
【図３】
2006345239.tif 000005